(57)【要約】  【課題】定速走行の希望速度や最高速度などの目標速度の設定操作を簡単にすることのできる速度設定システムを提供すること。  【解決手段】タッチパネルが形成された表示部に表示されているアナログ表示の速度メーター１４へのタッチ操作に基づいて、選択された速度を検出する選択速度検出手段と、検出された選択速度を目標速度に設定する設定手段とを装備する。  【選択図】図５
2007302028.tif 000002
【特許請求の範囲】
【請求項１】
タッチパネルが形成された表示部に表示されているアナログ表示の速度メーターへのタッチ操作に基づいて、選択された速度を検出する選択速度検出手段と、
該選択速度検出手段により検出された選択速度を目標速度に設定する設定手段とを備えていることを特徴とする速度設定システム。
【請求項２】
走行路の制限速度を検出する制限速度検出手段と、
該制限速度検出手段により検出された走行路の制限速度を告知する告知手段とを備えていることを特徴とする請求項１記載の速度設定システム。
【請求項３】
走行路の制限速度を検出する制限速度検出手段と、
前記選択速度検出手段により検出された選択速度が、前記制限速度検出手段により検出された制限速度以内でない場合、その旨を告知する告知手段とを備えていることを特徴とする請求項１記載の速度設定システム。
【請求項４】
走行路の制限速度を検出する制限速度検出手段を備え、
前記設定手段が、前記制限速度検出手段により検出された走行路の制限速度以内で目標速度を設定するものであることを特徴とする請求項１記載の速度設定システム。
【請求項５】
前記設定手段により設定された目標速度に基づいて定速走行が行われている間、ディジタル表示の速度メーターを前記表示部へ表示する表示手段を備えていることを特徴とする請求項１〜４のいずれかの項に記載の速度設定システム。
【発明の詳細な説明】
【技術分野】
【０００１】
本発明は速度設定システムに関し、より詳細には、定速走行の希望速度や最高速度などの目標速度を設定するための速度設定システムに関する。
【背景技術】
【０００２】
ドライバーがアクセルペダルを操作しなくても、車両の速度が希望する速度で維持されるようにスロットル開度などを調整してエンジン出力をコントロールする定速走行機能（いわゆるオートクルーズ機能）を有した車両が開発され、そして実用化されている。定速走行の希望速度を設定する方法としては、例えば、所定の操作が行われた時の速度を希望速度に設定するといった方法や、ロータリースイッチなど数字を合わせることのできる機構を使って設定するといった方法が挙げられる（例えば、下記の特許文献１参照）。
【０００３】
また、車両の速度があらかじめ設定された最高速度を越えないようにスロットル開度などを調整してエンジン出力をコントロールする機能が提案されている（例えば、下記の特許文献２，３参照）。この最高速度を設定する方法としては、例えば、ドライバーにより所定の操作が行われた時の速度を最高速度に設定するといった方法が挙げられる。
【０００４】
ところで、所定の操作が行われた時の速度を定速走行の希望速度や最高速度に設定する場合には、その速度に到達するのを待たなければならず、例えば、定速走行の希望速度を８０km/hに設定したい場合には、速度が８０km/hに到達するまで待たなければならなかった。また、８０km/hでの走行中に操作する必要があった。
これに対し、ロータリースイッチなど数字を合わせることのできる機構を使って設定する場合には、その速度に到達するのを待つ必要はない。例えば、停止中であっても、定速走行の希望速度や最高速度を８０km/hに設定することができる。
【０００５】
しかしながら、ロータリースイッチなどを使って、定速走行の希望速度や最高速度を設定するのは手間である。当たり前ではあるが、例えば、定速走行の希望速度を８０km/hに設定したい場合、ある表示部に表示されている数字が「８０」となるまでロータリースイッチなどを操作しなければならないからである。
【特許文献１】特開平５−２７４０３６号公報
【特許文献２】特開２００１−２２５６７３号公報
【特許文献３】特開２００２−３０７９７４号公報
【発明の開示】
【課題を解決するための手段及びその効果】
【０００６】
本発明は上記課題に鑑みなされたものであって、定速走行の希望速度や最高速度などの目標速度の設定操作を簡単にすることのできる速度設定システムを提供することを目的としている。
【０００７】
上記目的を達成するために本発明に係る速度設定システムは、その表面にタッチパネルが形成された表示部へ速度メーターを表示する速度メーター計表示手段と、前記表示部に表示されている速度メーターへのタッチ操作に基づいて、選択された速度を検出する選択速度検出手段と、該選択速度検出手段により検出された選択速度を目標速度に設定する設定手段とを備えていることを特徴としている。
【０００８】
上記速度設定システムによれば、速度メーターへのタッチ操作に基づいて、選択された速度が検出され、検出された選択速度が目標速度に設定される。例えば、ドライバーにより速度メーターの示す「８０km/h」の位置がタッチされると、ドライバーにより選択された速度として「８０km/h」が検出され、検出された「８０km/h」が目標速度として設定されることになる。従って、速度メーターの所望位置にタッチするという簡単な操作で目標速度を設定することができる。
【発明を実施するための最良の形態】
【０００９】
以下、本発明に係る速度設定システムの実施の形態を図面に基づいて説明する。図１は実施の形態（１）に係る速度設定システムが採用された表示制御装置を含んで構成される表示制御機構の要部を概略的に示したブロック図である。図中１はインストルメントパネル（以降、インパネと略す）の表示を制御する表示制御装置を示しており、表示制御装置１は図示しないＣＰＵ、ＲＯＭ、及びＲＡＭなどを有したマイクロコンピュータ（以降、マイコンと略す）２と、液晶ドライブ３と、入力信号を読み込む入力ポート４と、出力信号を送出する出力ポート５とを含んで構成されている。
【００１０】
表示制御装置１のマイコン２は速度メーターやタコメーター、フューエルゲージなどの表示画像データを液晶ドライブ３へ送出することによって、インパネを構成する表示装置６の液晶パネル７に速度メーターやタコメーター、フューエルゲージなどの表示を行うようになっている。また、表示装置６は液晶パネル７とタッチパネル８とを含んで構成され、タッチパネル８からの操作信号は表示制御装置１の入力ポート５で読み込まれるようになっている。
【００１１】
表示制御装置１の入力ポート４には車速センサ９、エンジン回転センサ１０、燃料センサ１１、及び水温センサ１２などが接続されている。表示制御装置１のマイコン２はこれらセンサ９〜１２からの入力信号を読み込んで、これらセンサ９〜１２から得られた各種データに対して所定の処理を行って表示値を決定し、そしてこの表示値から表示画像データを求め、表示画像データを液晶ドライブ３へ送出することによって液晶パネル７に表示を行うようになっている。また、表示制御装置１には車速制御装置１３が接続されている。車速制御装置１３はスロットル開度などを調整してエンジン出力をコントロールし、設定された速度での定速走行を行うものである。
【００１２】
図２は液晶パネル７に表示される画面の一例を示した図であり、液晶パネル７に速度メーター１４が表示されている。また、画面の速度メーター１４上にはタッチスイッチが構成され、使用者（例えば、乗員）は速度メーター１４に触れることによって速度を選択することができるようになっている。
【００１３】
実施の形態（１）に係る速度設定システムが採用された表示制御装置１のマイコン２における処理動作［１］を図３に示したフローチャートに基づいて説明する。なお、この処理動作［１］はタッチ操作割り込みルーチンであり、表示装置６のタッチパネル８へのタッチ操作があり、タッチパネル８からの操作信号の読み込みがあった場合に行われる動作である。
【００１４】
読み込んだタッチパネル８からの操作信号に基づいて、速度メーター１４上にタッチ操作が行われたか否かを判断し（ステップＳ１）、速度メーター１４上にタッチ操作が行われたと判断すれば、次に、タッチパネル８からの操作信号に基づいて、使用者により選択された速度（選択速度）Ｖ1を検出する（ステップＳ２）。一方、速度メーター１４上にタッチ操作は行われていないと判断すれば、そのまま処理動作［１］を終了する。
【００１５】
速度選択は５km/h間隔で行うことができるようになっており、例えば、図４に示したように、領域Ｅ1にタッチされた場合、選択速度Ｖ1として速度８０km/hが検出され、領域Ｅ2にタッチされた場合、選択速度Ｖ1として速度８５km/hが検出されるようになっている。もちろん、これは一例であり、１km/h間隔や１０km/h間隔などで速度が選択できるようにしても良い。
【００１６】
次に、検出した選択速度Ｖ1から表示画像データを求め（ステップＳ３）、表示画像データを液晶ドライブ３へ送出することによって選択速度Ｖ1を液晶パネル７に表示し（ステップＳ４）、その後、タッチスイッチとなる「速度確定」スイッチの表示画像データを液晶ドライブ３へ送出することによって「速度確定」スイッチを液晶パネル７に表示する（ステップＳ５）。
【００１７】
図５に液晶パネル７に選択速度Ｖ1及び「速度確定」スイッチ１５が表示された画面の一例を示す。この画面から使用者により選択された速度が「８０km/h」であることが分かる。なお、選択速度Ｖ1の告知形態はこれに限定されず、例えば、選択速度Ｖ1に対応する速度メーター１４の目盛りのところをマーキングするようにしても良い。また、選択速度Ｖ1が６０km/hや８０km/h、１００km/hなど速度メーター１４にその数値が表示されているものであれば、その数値に対してマーキングを施すようにしても良い。例えば、選択速度Ｖ1が８０km/hならば、速度メーター１４の「８０」の数値を○で囲むようにする。
【００１８】
次に、タッチパネル８からの操作信号に基づいて、「速度確定」スイッチ１５がタッチされたか否かを判断する（ステップＳ６）。「速度確定」スイッチ１５がタッチされたと判断すれば、使用者により選択された選択速度Ｖ1を目標速度ＶTに設定し（ステップＳ７）、目標速度ＶTを示す信号を車速制御装置１３へ送出し（ステップＳ８）、その後、画面上から「速度確定」スイッチ１５を消去する処理を行う（ステップＳ９）。
【００１９】
車速制御装置１３は表示制御装置１から目標速度ＶTを示す信号を取り込むと、スロットル開度などを調整してエンジン出力をコントロールし、目標速度ＶTでの定速走行を行うようになっている。これにより、使用者により選択された選択速度Ｖ1（目標速度ＶT）での定速走行を実現することができる。
【００２０】
これに対し、ステップＳ６において、「速度確定」スイッチ１５はタッチされていないと判断すれば、次に、「速度確定」スイッチ１５が液晶パネル７に表示されてから所定時間ｔを経過しているか否かを判断する（ステップＳ１０）。「速度確定」スイッチ１５が液晶パネル７に表示されてから所定時間ｔ（例えば、３秒）を経過していると判断すれば、使用者が選択速度Ｖ1を目標速度ＶTに設定する意思はないと看做し、画面上から選択速度Ｖ1及び「速度確定」スイッチ１５を消去する処理を行う（ステップＳ１１，Ｓ９）。一方、「速度確定」スイッチ１５が液晶パネル７に表示されてから所定時間ｔを経過していないと判断すれば、ステップＳ６へ戻る。
【００２１】
上記実施の形態（１）に係る速度設定システムによれば、速度メーター１４へのタッチ操作に基づいて、使用者により選択された選択速度Ｖ1が検出され、検出された選択速度Ｖ1が目標速度ＶTに設定される。例えば、ドライバーにより速度メーター１４の領域Ｅ1（図４）がタッチされると、ドライバーにより選択された速度Ｖ1として「８０km/h」が検出され、検出された「８０km/h」が目標速度ＶTとして設定されることになる。従って、速度メーター１４の所望位置にタッチするという簡単な操作で目標速度ＶTを設定することができる。また、選択速度Ｖ1が数値として表示されるので、選択速度Ｖ1を視覚的に分かりやすくすることができる。
【００２２】
図６は実施の形態（２）に係る速度設定システムが採用された表示制御装置を含んで構成される表示制御機構の要部を概略的に示したブロック図である。なお、図１に示した表示制御機構と同様の構成部分については同符号を付し、ここではその説明を省略する。図中２１はインパネの表示を制御する表示制御装置を示しており、表示制御装置２１は図示しないＣＰＵ、ＲＯＭ、及びＲＡＭなどを有したマイコン２２と、液晶ドライブ３と、入力ポート４と、出力ポート５とを含んで構成されている。
【００２３】
表示制御装置２１のマイコン２２は速度メーターやタコメーター、フューエルゲージなどの表示画像データを液晶ドライブ３へ送出することによって、インパネを構成する表示装置６の液晶パネル７に速度メーターやタコメーター、フューエルゲージなどの表示を行うようになっている。また、表示装置６は液晶パネル７とタッチパネル８とを含んで構成され、タッチパネル８からの操作信号は表示制御装置２１の入力ポート５で読み込まれるようになっている。
【００２４】
表示制御装置２１の入力ポート４には車速センサ９、エンジン回転センサ１０、燃料センサ１１、及び水温センサ１２などが接続されている。表示制御装置２１のマイコン２２はこれらセンサ９〜１２からの入力信号を読み込んで、これらセンサ９〜１２から得られた各種データに対して所定の処理を行って表示値を決定し、そしてこの表示値から表示画像データを求め、表示画像データを液晶ドライブ３へ送出することによって液晶パネル７に表示を行うようになっている。
【００２５】
また、表示制御装置２１には車速制御装置１３が接続されている。また、表示制御装置２１にはナビゲーション装置２３が接続され、表示制御装置２１は自車が現在走行している走行路の最高速度ＶMAXを示す信号をナビゲーション装置２３から取り込むことができるようになっている。
【００２６】
実施の形態（２）に係る速度設定システムが採用された表示制御装置２１のマイコン２２における処理動作［２−１］を図７（ａ）に示したフローチャートに基づいて説明する。なお、この処理動作［２−１］はナビゲーション装置２３からの最高速度信号割り込みルーチンであり、ナビゲーション装置２３から最高速度ＶMAXを示す信号の読み込みがあった場合に行われる動作である。
【００２７】
読み込んだナビゲーション装置２３からの最高速度ＶMAXを示す信号に基づいて、表示値を決定し（ステップＳ２１）、この表示値から表示画像データを求め（ステップＳ２２）、この表示画像データを液晶ドライブ３へ送出することによって画面上の最高速度ＶMAXの表示を更新する（ステップＳ２３）。
【００２８】
図８に液晶パネル７に最高速度ＶMAXが表示された画面の一例を示す。この画面から自車が走行している走行路の最高速度ＶMAXが「１００km/h」であることが分かる。なお、最高速度ＶMAXの告知形態はこれに限定されず、例えば、最高速度ＶMAXに対応する速度メーター１４の目盛りのところをマーキングするようにしても良い。
【００２９】
また、最高速度ＶMAXが６０km/hや８０km/h、１００km/hなど速度メーター１４にその数値が表示されているものであれば、その数値に対してマーキングを施すようにしても良い。例えば、最高速度ＶMAXが１００km/hならば、速度メーター１４の「１００」の数値を☆で囲むようにする。
【００３０】
次に、実施の形態（２）に係る速度設定システムが採用された表示制御装置２１のマイコン２２における処理動作［２−２］を図７（ｂ）に示したフローチャートに基づいて説明する。なお、この処理動作［２−２］はタッチ操作割り込みルーチンであり、表示装置６のタッチパネル８へのタッチ操作があり、タッチパネル８からの操作信号の読み込みがあった場合に行われる動作である。
【００３１】
読み込んだタッチパネル８からの操作信号に基づいて、速度メーター１４上にタッチ操作が行われたか否かを判断し（ステップＳ３１）、速度メーター１４上にタッチ操作が行われたと判断すれば、次に、タッチパネル８からの操作信号に基づいて、使用者により選択された速度（選択速度）Ｖ1を検出する（ステップＳ３２）。一方、速度メーター１４上にタッチ操作は行われていないと判断すれば、そのまま処理動作［２−２］を終了する。
【００３２】
次に、検出した選択速度Ｖ1から表示画像データを求め（ステップＳ３３）、表示画像データを液晶ドライブ３へ送出することによって選択速度Ｖ1を液晶パネル７に表示し（ステップＳ３４）、その後、タッチスイッチとなる「速度確定」スイッチの表示画像データを液晶ドライブ３へ送出することによって「速度確定」スイッチを液晶パネル７に表示する（ステップＳ３５）。図９に液晶パネル７に選択速度Ｖ1及び「速度確定」スイッチ１５が表示された画面の一例を示す。この画面から使用者により選択された速度が「８０km/h」であることが分かる。
【００３３】
次に、タッチパネル８からの操作信号に基づいて、「速度確定」スイッチ１５がタッチされたか否かを判断する（ステップＳ３６）。「速度確定」スイッチ１５がタッチされたと判断すれば、使用者により選択された選択速度Ｖ1を目標速度ＶTに設定し（ステップＳ３７）、目標速度ＶTを示す信号を車速制御装置１３へ送出し（ステップＳ３８）、その後、画面上から「速度確定」スイッチ１５を消去する処理を行う（ステップＳ３９）。
【００３４】
これに対し、ステップＳ３６において、「速度確定」スイッチ１５はタッチされていないと判断すれば、次に、「速度確定」スイッチ１５が液晶パネル７に表示されてから所定時間ｔを経過しているか否かを判断する（ステップＳ４０）。「速度確定」スイッチ１５が液晶パネル７に表示されてから所定時間ｔ（例えば、３秒）を経過していると判断すれば、使用者が選択速度Ｖ1を目標速度に設定する意思はないと看做し、画面上から選択速度Ｖ1及び「速度確定」スイッチ１５を消去する処理を行う（ステップＳ４１，Ｓ３９）。一方、「速度確定」スイッチ１５が液晶パネル７に表示されてから所定時間ｔを経過していないと判断すれば、ステップＳ３６へ戻る。
【００３５】
上記実施の形態（２）に係る速度設定システムによれば、速度メーター１４へのタッチ操作に基づいて、使用者により選択された選択速度Ｖ1が検出され、検出された選択速度Ｖ1が目標速度ＶTに設定される。例えば、ドライバーにより速度メーター１４の領域Ｅ1（図４）がタッチされると、ドライバーにより選択された速度Ｖ1として「８０km/h」が検出され、検出された「８０km/h」が目標速度ＶTとして設定されることになる。従って、速度メーター１４の所望位置にタッチするという簡単な操作で目標速度ＶTを設定することができる。
【００３６】
また、画面上に自車が走行している走行路の制限速度（最高速度ＶMAX）が数値で表示されるので、使用者は制限速度をしっかりと認識して目標速度ＶTを設定することができる。従って、制限速度を超過した目標速度ＶTが使用者に誤って設定されるのを防止することができる。
【００３７】
次に、実施の形態（３）に係る速度設定システムが採用された表示制御装置を含んで構成される表示制御機構について説明する。なお、この表示制御機構については、表示制御装置２１及びマイコン２２を除いて、図６に示した表示制御機構と同様であるので、表示制御装置及びマイコンには異なる符号を付して説明し、その他の構成部分の説明をここでは省略する。図中２１Ａはインパネの表示を制御する表示制御装置を示しており、表示制御装置２１Ａは図示しないＣＰＵ、ＲＯＭ、及びＲＡＭなどを有したマイコン２２Ａと、液晶ドライブ３と、入力ポート４と、出力ポート５とを含んで構成されている。
【００３８】
実施の形態（３）に係る速度設定システムが採用された表示制御装置２１Ａのマイコン２２Ａは図１０（ａ）に示した処理動作［３−１］を行うようになっているが、処理動作［３−１］は図７（ａ）に示した処理動作［２−１］と同様であるため、ここではその説明を省略する。
【００３９】
実施の形態（３）に係る速度設定システムが採用された表示制御装置２１Ａのマイコン２２Ａにおける処理動作［３−２］を図１０（ｂ）に示したフローチャートに基づいて説明する。なお、この処理動作［３−２］はタッチ操作割り込みルーチンであり、表示装置６のタッチパネル８へのタッチ操作があり、タッチパネル８からの操作信号の読み込みがあった場合に行われる動作である。
【００４０】
読み込んだタッチパネル８からの操作信号に基づいて、速度メーター１４上にタッチ操作が行われたか否かを判断し（ステップＳ６１）、速度メーター１４上にタッチ操作が行われたと判断すれば、次に、タッチパネル８からの操作信号に基づいて、使用者により選択された速度（選択速度）Ｖ1を検出する（ステップＳ６２）。一方、速度メーター１４上にタッチ操作は行われていないと判断すれば、そのまま処理動作［３−２］を終了する。
【００４１】
次に、検出した選択速度Ｖ1と自車が走行している走行路の最高速度ＶMAXとを比較して、選択速度Ｖ1が最高速度ＶMAX以下であるか否かを判断する（ステップＳ６３）。選択速度Ｖ1が最高速度ＶMAX以下であると判断すれば、次に、検出した選択速度Ｖ1から表示画像データを求め（ステップＳ６４）、表示画像データを液晶ドライブ３へ送出することによって選択速度Ｖ1を液晶パネル７に表示する（ステップＳ６５）。その後、タッチスイッチとなる「速度確定」スイッチ１５（図９）の表示画像データを液晶ドライブ３へ送出することによって「速度確定」スイッチ１５を液晶パネル７に表示する（ステップＳ６６）。ステップＳ６７〜Ｓ７２については、図７（ｂ）に示したステップＳ３６〜Ｓ４１と同様の処理動作であるので、ここではその説明を省略する。
【００４２】
一方、ステップＳ６３において、選択速度Ｖ1が最高速度ＶMAXを超過していると判断すれば、次に、制限速度違反となることを注意するための注意メッセージを示す表示画像データを液晶ドライブ３へ送出することによって注意メッセージを液晶パネル７に表示する（ステップＳ７３）。
【００４３】
上記実施の形態（３）に係る速度設定システムによれば、自車が走行している走行路の制限速度（最高速度ＶMAX）を超過した速度が使用者により選択された場合、注意メッセージが表示されるので、制限速度を超過した目標速度ＶTが使用者に誤って設定されるのを防止することができる。
【００４４】
次に、実施の形態（４）に係る速度設定システムが採用された表示制御装置を含んで構成される表示制御機構について説明する。なお、この表示制御機構については、表示制御装置２１及びマイコン２２を除いて、図６に示した表示制御機構と同様であるので、表示制御装置及びマイコンには異なる符号を付して説明し、その他の構成部分の説明をここでは省略する。図中２１Ｂはインパネの表示を制御する表示制御装置を示しており、表示制御装置２１Ｂは図示しないＣＰＵ、ＲＯＭ、及びＲＡＭなどを有したマイコン２２Ｂと、液晶ドライブ３と、入力ポート４と、出力ポート５とを含んで構成されている。
【００４５】
実施の形態（４）に係る速度設定システムが採用された表示制御装置２１Ｂのマイコン２２Ｂは図１１（ａ）に示した処理動作［４−１］を行うようになっているが、処理動作［４−１］は図７（ａ）に示した処理動作［２−１］と同様であるため、ここではその説明を省略する。
【００４６】
実施の形態（４）に係る速度設定システムが採用された表示制御装置２１Ｂのマイコン２２Ｂにおける処理動作［４−２］を図１１（ｂ）に示したフローチャートに基づいて説明する。なお、この処理動作［４−２］はタッチ操作割り込みルーチンであり、表示装置６のタッチパネル８へのタッチ操作があり、タッチパネル８からの操作信号の読み込みがあった場合に行われる動作である。
【００４７】
読み込んだタッチパネル８からの操作信号に基づいて、速度メーター１４上にタッチ操作が行われたか否かを判断し（ステップＳ９１）、速度メーター１４上にタッチ操作が行われたと判断すれば、次に、タッチパネル８からの操作信号に基づいて、使用者により選択された速度（選択速度）Ｖ1を検出する（ステップＳ９２）。一方、速度メーター１４上にタッチ操作は行われていないと判断すれば、そのまま処理動作［４−２］を終了する。
【００４８】
次に、検出した選択速度Ｖ1と自車が走行している走行路の最高速度ＶMAXとを比較して、選択速度Ｖ1が最高速度ＶMAX以下であるか否かを判断する（ステップＳ９３）。選択速度Ｖ1が最高速度ＶMAX以下であると判断すれば、次に、検出した選択速度Ｖ1から表示画像データを求め（ステップＳ９５）、表示画像データを液晶ドライブ３へ送出することによって選択速度Ｖ1を液晶パネル７に表示する（ステップＳ９６）。
【００４９】
一方、ステップＳ９３において、選択速度Ｖ1が最高速度ＶMAXを超過していると判断すれば、次に、選択速度Ｖ1を最高速度ＶMAXに設定し（ステップＳ９４）、設定した選択速度Ｖ1から表示画像データを求め（ステップＳ９５）、表示画像データを液晶ドライブ３へ送出することによって選択速度Ｖ1を液晶パネル７に表示する（ステップＳ９６）。例えば、最高速度ＶMAXが「１００km/h」である場合に、使用者により「１１０km/h」の速度が選択されると、選択速度Ｖ1が「１００km/h］に設定されることになる。
【００５０】
その後、タッチスイッチとなる「速度確定」スイッチ１５（図９）の表示画像データを液晶ドライブ３へ送出することによって「速度確定」スイッチ１５を液晶パネル７に表示する（ステップＳ９７）。ステップＳ９８〜Ｓ１０３については、図７（ｂ）に示したステップＳ３６〜Ｓ４１と同様の処理動作であるので、ここではその説明を省略する。
【００５１】
上記実施の形態（４）に係る速度設定システムによれば、自車が走行している走行路の制限速度（最高速度ＶMAX）を超過した速度が使用者により選択された場合、選択速度Ｖ1が制限速度に設定されるので、制限速度を超過した目標速度ＶTが設定されるのを防止することができる。
【００５２】
なお、上記実施の形態（１）〜（４）に係る速度設定システムでは、使用者により「速度確定」スイッチ１５がタッチされた場合に、選択速度Ｖ1を目標速度ＶTに設定するようになっているが、別の実施の形態に係る速度設定システムでは、「取消」スイッチを設けて、ある起点から（例えば、使用者により速度が選択されてから）所定時間が経過するまでに、「取消」スイッチが操作されなかった場合、選択速度Ｖ1を目標速度ＶTに設定するようにしても良い。これにより、使用者の操作回数を減らすことができる。
【００５３】
また、上記実施の形態（１）〜（４）に係る速度設定システムでは、速度メーター１４へのタッチ操作に基づいて、使用者により選択された選択速度Ｖ1が検出され、そして目標速度ＶTに設定されるようになっているが、別の実施の形態に係る速度設定システムでは、調整スイッチを設けて、この調整スイッチに対する操作に基づいて、目標速度ＶTを調整できるようにしても良い。例えば、タッチパネル８の任意の箇所をタッチした状態で左にスライド操作されると目標速度ＶTを下げ、その逆に右にスライド操作されると目標速度ＶTを上げるようにする。もちろん、これは一つの操作形態であり、左にスライド操作された場合に目標速度ＶTを上げ、右にスライド操作された場合に目標速度ＶTを下げたり、上下の操作で目標速度ＶTを調整できるようにしても良い。
【００５４】
また、上記実施の形態（１）〜（４）に係る速度設定システムでは、速度メーター１４はアナログ表示であるが、別の実施の形態に係る速度設定システムでは、速度メーター１４の表示をアナログ表示とディジタル表示とで切り替えることができるようにし、例えば、目標速度ＶTでの定速走行中（又は定速走行を保つように速度制御中）には、ディジタル表示の速度メーターを表示し、それ以外の場合にはアナログ表示の速度メーターを表示するようにして、目標速度ＶTでの定速走行中（又は定速走行を保つように速度制御中）とそれ以外の場合とを容易に区別できるようにしても良い。
【００５５】
また、上記実施の形態（２）〜（４）に係る速度設定システムでは、自車が走行している走行路の最高速度ＶMAXを表示したり、選択速度Ｖ1が最高速度ＶMAXを超過する場合に警告したり、選択速度Ｖ1を最高速度ＶMAXに設定する場合について説明しているが、別の実施の形態に係る速度設定システムでは、自車が走行している走行路の最低速度ＶMINを表示したり、選択速度Ｖ1が最低速度ＶMINを下回る場合に警告したり、選択速度Ｖ1を最低速度ＶMINに設定するようにしても良い。
【００５６】
また、上記実施の形態（２）〜（４）に係る速度設定システムでは、自車が走行している走行路の制限速度に関する情報をナビゲーション装置２３から取得する場合について説明しているが、制限速度（最高速度、最低速度）に関する情報の取得方法はこれに限定されるものではなく、別の実施の形態に係る速度設定システムでは、例えば、ＶＩＣＳ情報から取得したり、標識や標示をカメラで撮影して画像情報から取得するようにしても良い。
【００５７】
また、ここまで目標速度ＶTを示す信号を車速制御装置１３へ送出し、目標速度ＶTを定速走行の希望速度に用いる場合について説明しているが、目標速度ＶTの使用はこれに限定されるものではなく、例えば、最高速度に用いて、使用者がアクセルを大きく踏み込んでも車両の速度が目標速度ＶTを越えないようにしても良い。
【００５８】
また、本発明に係る速度設定システムを、ここでは表示制御装置１，２１，２１Ａ，２１Ｂに採用する場合について説明しているが、本発明に係る速度設定システムは表示制御装置への採用に限定されるものではなく、例えば、車速制御装置に採用するようにしても良い。
【図面の簡単な説明】
【００５９】
【図１】本発明の実施の形態（１）に係る速度設定システムが採用された表示制御装置を含んで交際される表示制御機構の要部を概略的に示したブロック図である。
【図２】液晶パネルに表示される画面の一例を示した図である。
【図３】実施の形態（１）に係る速度設定システムが採用された表示制御装置のマイコンにおける処理動作を示したフローチャートである。
【図４】速度メーターのタッチ領域と選択速度との関係を説明するための説明図である。
【図５】液晶パネルに表示される画面の一例を示した図である。
【図６】実施の形態（２）に係る速度設定システムが採用された表示制御装置を含んで交際される表示制御機構の要部を概略的に示したブロック図である。
【図７】実施の形態（２）に係る速度設定システムが採用された表示制御装置のマイコンにおける処理動作を示したフローチャートである。
【図８】液晶パネルに表示される画面の一例を示した図である。
【図９】液晶パネルに表示される画面の一例を示した図である。
【図１０】実施の形態（３）に係る速度設定システムが採用された表示制御装置のマイコンにおける処理動作を示したフローチャートである。
【図１１】実施の形態（４）に係る速度設定システムが採用された表示制御装置のマイコンにおける処理動作を示したフローチャートである。
【符号の説明】
【００６０】
１、２１、２１Ａ、２１Ｂ  表示制御装置
２、２２、２２Ａ、２２Ｂ  マイコン
６  表示装置
７  液晶パネル
８  タッチパネル
１３  車速制御装置
２３  ナビゲーション装置
【図１】
2007302028.tif 000003
【図２】
2007302028.tif 000004
【図３】
2007302028.tif 000005
【図４】
2007302028.tif 000006
【図５】
2007302028.tif 000007
【図６】
2007302028.tif 000008
【図７】
2007302028.tif 000009
【図８】
2007302028.tif 000010
【図９】
2007302028.tif 000011
【図１０】
2007302028.tif 000012
【図１１】
2007302028.tif 000013